(57)【要約】【課題】電柱等の高所に設置される広告のための電柱用袖看板であって、特に耐候性に優れていると共に台風等による強風等にも耐え得る充分な強度を有し、しかも生産性が良く耐久性に優れた電柱用袖看板を提供する。【解決手段】電柱用袖看板を、両表裏面に印刷層が設けられる面塗装溶融亜鉛合金めっき鋼板より成る表示板１と、この表示板１の各側端部にそれぞれ空間を設けた状態でこの表示板１の各側縁に設けられる両面塗装溶融亜鉛合金めっき鋼板より成る補強用外枠２又は補強部位と、電柱に固定される袖看板支持アームに連結するための連結手段３ａが設けられておりこの表示板１の上縁と下縁とに固定される両面塗装溶融亜鉛合金めっき鋼板より成る連結補強用外枠２とで構成し、それぞれの接合部位を複数の高耐食性の打ち込み型リベット４により固定したものとする。【選択図】        図１
2004271574.tif 000002
【特許請求の範囲】
【請求項１】
表裏面に印刷層が設けられる両面塗装溶融亜鉛合金めっき鋼板より成る表示板（１）と、該表示板（１）の各側端部にそれぞれ空間を設けた状態で該表示板（１）の各側縁の表裏両面に固定される両面塗装溶融亜鉛合金めっき鋼板より成る補強用外枠（２）と、電柱（Ｄ）に固定される袖看板支持アーム（Ａ）に連結するための連結手段（３ａ）が設けられており該表示板（１）の上縁と下縁とに固定される両面塗装溶融亜鉛合金めっき鋼板より成る連結補強用外枠（３）とから構成されており、該表示板（１）の各側縁と表示板（１）の該各側縁に当接する該補強用外枠（２）の接合部位（２ａ）及び該表示板（１）の上下縁と表示板（１）の該上下縁に当接する該連結補強用外枠（３）の接合部位（３ｂ）とがそれぞれ複数の高耐食性の打ち込み型リベット（４）により固定されていることを特徴とする耐久性に優れた電柱用袖看板。
【請求項２】
表裏面に印刷層が設けられる両面塗装溶融亜鉛合金めっき鋼板より成り各側端部にそれぞれ空間を設けた状態で裏面の側縁に当接するように折曲して形成された補強部位（１ａ）がそれぞれ設けられている表示板（１）と、電柱（Ｄ）に固定される袖看板支持アーム（Ａ）に連結するための連結手段（３ａ）が設けられており該表示板（１）の上縁と下縁とに固定される両面塗装溶融亜鉛合金めっき鋼板より成る連結補強用外枠（３）とから構成されており、該表示板（１）の各側縁と表示板（１）の該各側縁に当接する補強部位（１ａ）の接合部位（１ｂ）及び該表示板（１）の上下縁と表示板（１）の該上下縁に当接する該連結補強用外枠（３）の接合部位（３ｂ）とがそれぞれ複数の高耐食性の打ち込み型リベット（４）により固定されていることを特徴とする耐久性に優れた電柱用袖看板。
【請求項３】
補強用外枠（２）を構成する両面塗装溶融亜鉛合金めっき鋼板の少なくとも表示板（１）と当接する面の塗装膜が、熱接着型塗装膜より成る請求項１に記載の耐久性に優れた電柱用袖看板。
【請求項４】
連結補強用外枠（３）を構成する両面塗装溶融亜鉛合金めっき鋼板の少なくとも表示板（１）と当接する面の塗装膜が、熱接着型塗装膜より成る請求項１から３までの何れか１項に記載の耐久性に優れた電柱用袖看板。
【請求項５】
高耐食性の打ち込み型リベット（４）が１００〜１５０ｍｍの間隔で固定されている請求項１から４までの何れか１項に記載の耐久性に優れた電柱用袖看板。
【請求項６】
高耐食性の打ち込み型リベット（４）の突出高さが１．５ｍｍ以下である請求項１から５までの何れか１項に記載の耐久性に優れた電柱用袖看板。
【発明の詳細な説明】
【０００１】
【産業上の利用分野】
本発明は、電柱等の高所に設置される広告のための電柱用袖看板に関するものであって、特に耐候性に優れていると共に台風等による強風等にも耐え得る充分な強度を有し、しかも生産性が良く耐久性に優れた電柱用袖看板に関するものである。
【０００２】
【従来の技術】
電柱用袖看板は電力柱や電信柱等の電柱等の高所に設置される局所的地域的な広告媒体として現在全国各地に広く普及しており、この電柱用袖看板は遠方からも視認し易いように通常は地上から３．５〜４．５ｍの高さに電柱から突き出して設置され、その寸法は地域により差があるが概ね高さ１０００〜１２００ｍｍ，幅４００〜５００ｍｍの範囲内に規定されている。
【０００３】
そして、電柱用袖看板の設置及び交換の作業は、電柱等の高所に締結バンド金具で所定間隔に予め固定された上下一対の袖看板支持アームに電柱用袖看板の上縁と下縁とに設けられた連結手段で連結することによって行われ、この作業には通常は高所作業車等が利用される。
【０００４】
このように設置された電柱用袖看板は、一般的には３〜５年に一度のサイクルで交換するように規定されているので、少なくとも３〜５年は直射日光によって表示板の印刷が色あせを起こしてしまったり、雨水等によって表示板等が腐食してしまったり、特に塩害等により腐食し易い海岸等が近傍にある地域に設置された場合であっても腐食してしまったりすることなく、その外観の美しさを保たなければならない強い耐候性が要求されている。
【０００５】
また、電柱用袖看板は視認し易いように高所に突き出して設置されると共にその面積も比較的大きいために風の影響を受け易いが、台風等による強風を受けた場合であっても折曲したり破断したり吹き飛ばされて落下したりすることがないような充分な強度を有している必要がある。
【０００６】
このような厳しい耐久性が求められる電柱用袖看板としては、従来より逆三角形断面に折り曲げた鉄板製の型材を四角枠状に組み立てた補強用外枠に薄い鉄板より成る表示板を嵌め込んで溶接等で固定した電柱用袖看板及び袖看板支持アームに一辺部が開口された四角枠状のフレーム部材が固定され、このフレーム部材の開口から内側スリットに薄板状の表示板を差し込んだ後にその一辺部をフレーム部材に着脱可能に固定して開口を閉塞する電柱用袖看板（例えば、特許文献１参照。）や、強風圧受圧時における減圧発生防止手段として少なくとも１つの通風孔が表示板に穿設されている電柱用袖看板（例えば、特許文献２参照。）がある。
【０００７】
しかしながら、前記した最初の逆三角形断面に折り曲げた鉄板製の型材を四角枠状に組み立てた補強用外枠に薄い鉄板より成る表示板を嵌め込んで溶接等で固定した電柱用袖看板は、補強用外枠に薄い鉄板より成る表示板を嵌め込んで溶接等で固定するものであるので、表示板と補強用外枠との接合部位や溶接された箇所が腐食し易いので看板全体の耐候性が悪いという欠点があり、また強風にも耐え得る強度を得るためには表示板と補強用外枠との接合部位の非常に多くの箇所にスポット溶接等をしなければならないので、生産性が非常に悪いと共に溶接時に発生するヒュームにより職場環境の劣化が生じるという欠点もあった。
【０００８】
また、前記した２番目の袖看板支持アームに一辺部が開口された四角枠状のフレーム部材が固定され、このフレーム部材の開口から内側スリットに薄板状の表示板を差し込んだ後にその一辺部をフレーム部材に着脱可能に固定して開口を閉塞する電柱用袖看板は、表示板を内側スリットに差し込む構成であるので、この表示板を差し込む際に表示板と内側スリットとに摩擦力が生じることにより表示板の印刷面や内側スリット等の塗装が剥がれてしまう部位が生じ、その部位より腐食等が発生して外観上好ましくないばかりか看板全体の耐候性が悪化して寿命が短くなるという欠点があると共に、表示板は内側スリットに差し込まれたままか又は合成樹脂製のプッシュピンを貫通穴に挿入してその両端部を熱ヒートで大径に変形させて抜け止めしただけであるのでその保持強度が弱いという欠点があった。
【０００９】
また、前記した最後の強風圧受圧時における減圧発生防止手段として少なくとも１つの通風孔が表示板に穿設されている電柱用袖看板は、表示板自体に通風孔が穿設されているので、広告を印刷する面積が減ってしまうと共に広告のデザインの自由度が低下してしまい好ましくないという欠点があり、また通風孔の開口断面の防錆処理が悪い場合には、その部位より腐食が発生し看板全体の耐候性が悪化するという欠点があった。
【００１０】
【特許文献１】
特開平１１−５２８７１号公報
【特許文献２】
特開平９−１６０８９号公報
【００１１】
【発明が解決しようとする課題】
本発明は、前記従来技術の欠点を解消し、耐候性に優れていると共に台風等による強風等にも耐え得る充分な強度を有し、しかも生産性が良く耐久性に優れた電柱用袖看板を提供することを課題とする。
【００１２】
【課題を解決するための手段】
本発明者は前記課題を解決すべく鋭意研究の結果、表裏面に印刷層が設けられる表示板と、この表示板の各側端部にそれぞれ空間を設けた状態でこの表示板の各側縁に設けられる補強用外枠又は補強部位と、電柱に固定される袖看板支持アームに連結するための連結手段が設けられておりこの表示板の上縁と下縁とに固定される連結補強用外枠とをそれぞれ両面塗装溶融亜鉛合金めっき鋼板で形成すると共に、それぞれの接合部位を複数の高耐食性の打ち込み型リベットにより固定すれば、それぞれの部材が両面塗装溶融亜鉛合金めっき鋼板より成り高耐食性の打ち込み型リベットで固定されるので、腐食が発生し易い箇所が殆ど存在しないので耐候性に優れており、また表示板の各側端部にそれぞれ空間を設けた状態でこの表示板の各側縁に補強用外枠又は補強部位が設けられていると共に表示板の上縁と下縁とに連結補強用外枠が固定されるので、台風等による強風等にも耐え得る充分な強度を得ることができ、更にそれぞれの部材の接合はそれぞれの接合部位を複数の高耐食性の打ち込み型リベットにより固定するのみの簡単な作業で行われるので、生産性が非常に良いと共に職場環境を悪化させることもないことを究明して本発明を完成したのである。
【００１３】
即ち本発明は、表裏面に印刷層が設けられる両面塗装溶融亜鉛合金めっき鋼板より成る表示板と、該表示板の各側端部にそれぞれ空間を設けた状態で該表示板の各側縁の表裏両面に固定される両面塗装溶融亜鉛合金めっき鋼板より成る補強用外枠と、電柱に固定される袖看板支持アームに連結するための連結手段が設けられており該表示板の上縁と下縁とに固定される両面塗装溶融亜鉛合金めっき鋼板より成る連結補強用外枠とから構成されていることを特徴とする耐久性に優れた電柱用袖看板と、
表裏面に印刷層が設けられる両面塗装溶融亜鉛合金めっき鋼板より成り各側端部にそれぞれ空間を設けた状態で裏面の側縁に当接するように折曲して形成された補強部位がそれぞれ設けられている表示板と、電柱に固定される袖看板支持アームに連結するための連結手段が設けられており該表示板の上縁と下縁とに固定される両面塗装溶融亜鉛合金めっき鋼板より成る連結補強用外枠とから構成されていることを特徴とする耐久性に優れた電柱用袖看板とに関するものである。
【００１４】
そしてこのような本発明において、補強用外枠や連結補強用外枠を構成する両面塗装溶融亜鉛合金めっき鋼板の少なくとも表示板と当接する面の塗装膜が熱接着型塗装膜より成るものであれば、表示板の表裏面に印刷層を形成した後に耐候性及び張り紙防止用クリアー塗料等を塗布して焼付け処理を行う際に発生する熱により補強用外枠や連結補強用外枠と表示板との接合部位が熱接着されるから、補強用外枠や連結補強用外枠と表示板との接合部位が完全に密着して接合部位に水分等が入り込む余地が無くなるので、更に耐候性が増して好ましいことも究明したのである。
【００１５】
更に、高耐食性の打ち込み型リベットが１００〜１５０ｍｍの間隔で固定されていれば、それぞれの部材が確実に固定されるので、電柱用袖看板全体の強度が増して好ましく、また高耐食性の打ち込み型リベットの突出高さが１．５ｍｍ以下であれば、外観の意匠性が増して好ましいと共に、表示板に印刷層を形成する際に印刷の作業性が増して好ましいことも究明したのである。
【００１６】
【発明の実施の態様】
以下、図面により本発明に係る耐久性に優れた電柱用袖看板について詳細に説明する。
図１は本発明に係る耐久性に優れた電柱用袖看板の１実施例の正面説明図、図２は図１のＷ−Ｗ線端面説明図、図３は図１のＸ−Ｘ線端面説明図、図４は図１のＹ−Ｙ線端面説明図、図５は本発明に係る耐久性に優れた電柱用袖看板の他の実施例の正面説明図、図６は図５の背面説明図、図７は図５のＺ−Ｚ線端面説明図、図８は本発明に係る耐久性に優れた電柱用袖看板に使用される高耐食性の打ち込み型リベットが打ち込まれた状態を示す説明用側断面図、図９は本発明に係る耐久性に優れた電柱用袖看板が電柱に固定された状態を示す正面説明図である。
【００１７】
図面中、１は表裏面に印刷層が設けられる両面塗装溶融亜鉛合金めっき鋼板より成る表示板であり、表裏面に設けられる印刷層に文字等が印刷され広告等を表示する役目を果たす。
【００１８】
この表示板１の態様としては、図１及び図２に示す如く平板状であって各側端部にそれぞれ空間を設けた状態でこの表示板１の各側縁の表裏両面に後述する補強用外枠２が固定される態様や、図５〜図７に示す如く各側端部にそれぞれ空間を設けた状態で裏面の側縁に当接するように折曲して形成された補強部位１ａがそれぞれ設けられている態様がある。
【００１９】
そして、表示板１に補強部位１ａが設けられている態様では、図５〜図７に示す如く表示板１の各側端部に上下方向の略全長に亘ってそれぞれ空間を設けた状態で補強部位１ａが形成されており、この補強部位１ａはその上下方向に設けられた空間により表示板１の上下方向の曲げ剛性を高める役割を果たす。この補強部位１ａとしては、図５〜図７に示す如く断面を三角状にした後に表示板１の裏面の側縁に当接するように折曲された形状であってもよく、また図示しないが断面を円形状にした後に表示板１の裏面の側縁に当接するように折曲された形状であってもよいが、表示板１の上下方向の曲げ剛性を高める役割を果たすように表示板１の各側端部にそれぞれ空間を設けた状態で折曲して形成されることが必要である。
【００２０】
この表示板１は、充分な耐候性を得るために両面塗装溶融亜鉛合金めっき鋼板より成るものである必要があり、そしてこの両面塗装溶融亜鉛合金めっき鋼板がアルミニウムを約５５％配合した溶融亜鉛合金でめっきしたものであることが耐候性が増して好ましい。そして、両面塗装溶融亜鉛合金めっき鋼板の塗装層を形成する塗料としては、ポリオレフィン系塗料が好ましく使用される。
【００２１】
尚、後述する補強用外枠２や連結補強外枠３も、この表示板１と同様に充分な耐候性を得るために、この表示板１と同様な両面塗装溶融亜鉛合金めっき鋼板より形成される。
【００２２】
２は表示板１に補強部位１ａが設けられていない態様の場合において、表示板１の各側端部にそれぞれ空間を設けた状態でこの表示板１の各側縁の表裏両面に固定される両面塗装溶融亜鉛合金めっき鋼板より成る補強用外枠であり、補強部位１ａと同様にその上下方向に設けられた空間により表示板１の上下方向の曲げ剛性を高める役割を果たす。
【００２３】
この補強用外枠２は、図１及び図２に示す如く表示板１の各側端部にそれぞれ空間を設けた状態で断面が三角状に形成されていてもよく、また図示しないが表示板１の各側端部にそれぞれ空間を設けた状態で断面が円状に形成されていてもよい。そして、このように形成された補強用外枠２は図１及び図２に示す如く表示板１の各側端と補強用外枠２との間に空間を設けた状態で表示板１の各側縁の表裏両面に固定されるが、この場合表示板１の各側端が補強用外枠２の内面に当接していてもよい。
【００２４】
そして、この補強用外枠２を構成する両面塗装溶融亜鉛合金めっき鋼板の少なくとも表示板１と当接する面の塗装膜が熱接着型塗装膜より成るものであれば、表示板１の表裏面に、印刷層を形成した後に耐候性及び張り紙防止用クリアー塗料等を塗布して焼付け処理を行う際に発生する熱により補強用外枠や連結補強用外枠と表示板との接合部位が熱接着されるから、補強用外枠２と表示板１との接合部位２ａが完全に密着して接合部位２ａに水分等が入り込む余地が無くなるので更に耐候性が増して好ましい。この熱接着型塗装膜を形成する塗料としては、熱接着型のオレフィン系塗料が好ましく使用される。
【００２５】
３は電柱Ｄに固定される袖看板支持アームＡに連結するための連結手段３ａが設けられており表示板１の上縁と下縁とに固定される両面塗装溶融亜鉛合金めっき鋼板より成る連結補強用外枠であり、表示板１の上縁と下縁とに固定されることにより表示板１の左右方向の曲げ剛性を高めると共に、連結手段３ａにより電柱Ｄに固定される袖看板支持アームＡに連結される役目を果たす。
【００２６】
この連結補強用外枠３は、図１，図５及び図６に示す如く表示板１の上縁と下縁とに一対づつ固定されるものであり、図３及び図４に示す如く表示板１の上縁及び下縁とこの連結補強用外枠３との間に空間が存在しない状態で固定されるものであってもよく、また図示しないが前記した補強部位１ａや補強用外枠２の如く上縁及び下縁との連結補強用外枠３との間に空間を設けた状態で固定されるものであってもよい。
【００２７】
この連結補強用外枠３の連結手段３ａとしては、電柱Ｄに固定される袖看板支持アームＡに連結できるような形状に形成されているものであれば何でもよいが、図１，図４，図５及び図６に示す如く連結手段３ａが表示板１と反対の方向に連結補強用外枠３より突設されたボルトの如きものであれば、袖看板支持アームＡに予め穿設された孔に連結補強用外枠３より突設されたボルトを挿入してナットを締結するという簡単な操作で袖看板支持アームＡに本発明に係る電柱用袖看板を連結するすることができるので好ましい。
【００２８】
そして、連結補強用外枠３を構成する両面塗装溶融亜鉛合金めっき鋼板の少なくとも表示板１と当接する面の塗装膜が熱接着型塗装膜より成るものであれば、前記補強用外枠２の場合と同様に表示板１の表裏面に印刷層を形成した後に耐候性及び張り紙防止用クリアー塗料等を塗布して焼付け処理を行う際に発生する熱により補強用外枠２や連結補強用外枠３と表示板１との接合部位が熱接着されるから、連結補強用外枠３と表示板１との接合部位３ｂが完全に密着して接合部位３ｂに水分等が入り込む余地が無くなるので更に耐候性が増して好ましい。この熱接着型塗装膜を形成する塗料としては、前記補強用外枠２の場合と同様に熱接着型のオレフィン系塗料が好ましく使用される。
【００２９】
４はそれぞれの接合部位を固定する複数の高耐食性の打ち込み型リベットであり、それぞれの部材同士を台風等による強風等にも耐え得る充分な強度で固定する役目を果たす。
【００３０】
この高耐食性の打ち込み型リベット４は、図１〜図４に示す如く表示板１に補強用外枠２を固定する態様では、表示板１の各側縁と表示板１の各側縁に当接する補強用外枠２の接合部位２ａ及び表示板１の上下縁と表示板１の上下縁に当接する連結補強用外枠３の接合部位３ｂを固定し、そして図５〜図７に示す如く表示板１に補強部位１ａが設けられている態様では、表示板１の各側縁と表示板１の各側縁に当接する補強部位１ａの接合部位１ｂ及び表示板１の上下縁と表示板１の上下縁に当接する連結補強用外枠３の接合部位３ｂを固定するものである。
【００３１】
この高耐食性の打ち込み型リベット４によって接合部位を固定するには、両面塗装溶融亜鉛合金めっき鋼板同士が重ね合わされた接合部位を板押え等で押えながらポンチ等で上方からこの高耐食性の打ち込み型リベット４を打ち込む際に、接合部位の下方にダイス等を予め配置しておいて図８に示す如くこの高耐食性の打ち込み型リベット４を変形させて両面塗装溶融亜鉛合金めっき鋼板同士を機械的に固定するのである。
【００３２】
この高耐食性の打ち込み型リベット４は接合部位を貫通することなく両面塗装溶融亜鉛合金めっき鋼板同士を変形させて機械的に固定するので、スポット溶接等で固定する場合のように両面塗装溶融亜鉛合金めっき鋼板の塗装層やめっき層を熱で劣化したり、溶接の際に発生するヒューム等で職場環境が悪化したりすることがないので好ましく、また一般的なリベットのように予め接合部位に孔を穿設する作業を行う必要がないと共に穿設された孔の断面に水等が侵入して腐食し易く箇所が生じることがないのであり、更に接合部位を複数の高耐食性の打ち込み型リベット４により固定するのみの簡単な作業であるで生産性が非常に良く好ましい。この高耐食性の打ち込み型リベット４としては、炭素鋼やステンレス等より成り予め電気亜鉛めっき等によって表面処理されたものが好ましく使用される。
【００３３】
また、図１，図５及び図６に示す如くこの高耐食性の打ち込み型リベット４が１００〜１５０ｍｍの間隔で固定されていれば、それぞれの部材同士が確実に固定されるので、本発明に係る耐久性に優れた電柱用袖看板全体の強度が増して好ましい。
【００３４】
更に、高耐食性の打ち込み型リベット４の突出高さが１．５ｍｍ以下であれば、外観の意匠性が増して好ましいと共に、表示板に印刷層を形成する際に印刷の作業性が増して好ましい。
【００３５】
このような本発明に係る耐久性に優れた電柱用袖看板の製造工程について説明する。
先ず、両面塗装溶融亜鉛めっき鋼板を切断加工し、所定形状の表示板１を作製する。この際、図５〜図７に示す如く表示板１の各側端部に補強部位１ａが設けられている態様の場合には、表示板１の各側端部をそれぞれ空間を設けた状態で裏面の側縁に当接するように折曲させる板金加工等を施して補強部位１ａを形成する。また、図１〜図４に示す如く表示板１に補強用外枠２を固定する態様の場合には、別途両面塗装溶融亜鉛めっき鋼板を切断加工し、板金加工等を施して補強用外枠２を一対製作する。
【００３６】
次に、両面塗装溶融亜鉛めっき鋼板を切断加工し、板金加工等を施して表示板１の上下縁に固定される連結補強用外枠３を製作する。この際、図１，図３，図４，図５及び図６に示す如く連結補強用外枠３に設けられている連結手段３ａが、表示板１と反対の方向に連結補強用外枠３より突設されたボルトである場合には、連結補強用外枠３のボルトが突設される箇所に孔を予め穿設すると共にこの孔が穿設された箇所の周辺部位をボルトの頭の部分が収まるようにプレス加工した後に、この孔に表示板１が固定される側よりボルトを挿入し、しかる後にボルトが挿入された両面塗装溶融亜鉛めっき鋼板を１８０度折曲した後に９０度折曲して表示板１を固定する接合部位３ｂを形成する。
【００３７】
次いで、図１〜図４に示す如く表示板１に補強用外枠２を固定する態様の場合には、補強用外枠２を表示板１の各側端部に設置する。そして、表示板１の上縁と下縁とに連結補強用外枠３を設置する。しかる後に、表示板１にそれぞれの部材を複数の高耐食性の打ち込み型リベット４により固定するのである。この際、図１〜図４に示す如く表示板１に補強用外枠２を固定する態様の場合には、表示板１の各側縁と表示板１の各側縁に当接する補強用外枠２の接合部位２ａ及び表示板１の上下縁と表示板１の上下縁に当接する連結補強用外枠３の接合部位３ｂとをそれぞれ複数の高耐食性の打ち込み型リベット４により固定する。また、図５〜図７に示す如く表示板１の各側端部に補強部位１ａが設けられている態様の場合には、表示板１の各側縁と表示板１の各側縁に当接する補強部位１ａの接合部位１ｂ及び表示板１の上下縁と表示板１の上下縁に当接する連結補強用外枠３の接合部位３ｂとをそれぞれ複数の高耐食性の打ち込み型リベット４により固定する。
【００３８】
このようにして完成した耐久性を有する電柱用袖看板は、その表示板１の表裏面に印刷層がスクリーン印刷等によって形成され、そして場合によっては更に耐候性及び張り紙防止用クリアー塗料等を塗布されて焼付け処理が行われた後に、図９に示す如くそれぞれの連結補強用外枠３の連結部位３ａを袖看板支持アームＡに連結されて電柱Ｄに固定されるのである。
【００３９】
【発明の効果】
以上に詳述した如く、本発明に係る耐久性に優れた電柱用袖看板は、表裏面に印刷層が設けられる表示板と、この表示板の各側端部にそれぞれ空間を設けた状態でこの表示板の各側縁に設けられる補強用外枠又は補強部位と、電柱に固定される袖看板支持アームに連結するための連結手段が設けられておりこの表示板の上縁と下縁とに固定される連結補強用外枠とがそれぞれ両面塗装溶融亜鉛合金めっき鋼板で形成されていると共に、それぞれの部材が両面塗装溶融亜鉛合金めっき鋼板より成り高耐食性の打ち込み型リベットで固定されているので、腐食が発生し易い箇所が殆ど存在しないので耐候性に優れており、また表示板の各側端部にそれぞれ空間を設けた状態でこの表示板の各側縁に補強用外枠又は補強部位が設けられていると共に表示板の上縁と下縁とに連結補強用外枠が固定されるので、台風等による強風等にも耐え得る充分な強度を得ることができ、更にそれぞれの部材の接合はそれぞれの接合部位を複数の高耐食性の打ち込み型リベットにより固定するのみの簡単な作業で行われるので、生産性が非常に良いと共に職場環境を悪化させることがないのである。
【００４０】
そして、補強用外枠や連結補強用外枠を構成する両面塗装溶融亜鉛合金めっき鋼板の少なくとも表示板と当接する面の塗装膜が熱接着型塗装膜より成るものであれば、表示板の表裏面に印刷層を形成した後に耐候性及び張り紙防止用クリアー塗料等を塗布して焼付け処理を行う際に発生する熱により補強用外枠や連結補強用外枠と表示板との接合部位が熱接着されるから、補強用外枠や連結補強用外枠と表示板との接合部位が完全に密着して接合部位に水分等が入り込む余地が無くなるので、更に耐候性が増して好ましいのである。
【００４１】
また、高耐食性の打ち込み型リベットが１００〜１５０ｍｍの間隔で固定されていれば、それぞれの部材が確実に固定されるので、本発明に係る耐久性に優れた電柱用袖看板全体の強度が増して好ましく、また高耐食性の打ち込み型リベットの突出高さが１．５ｍｍ以下であれば、外観の意匠性が増して好ましいと共に、表示板に印刷層を形成する際に印刷の作業性が増して好ましいのである。
【００４２】
このような種々の効果を奏する本発明に係る耐久性に優れた電柱用袖看板の工業的価値は非常に大きなものである。
【図面の簡単な説明】
【図１】本発明に係る耐久性に優れた電柱用袖看板の１実施例の正面説明図である。
【図２】図１のＷ−Ｗ線端面説明図である。
【図３】図１のＸ−Ｘ線端面説明図である。
【図４】図１のＹ−Ｙ線端面説明図である。
【図５】本発明に係る耐久性に優れた電柱用袖看板の他の実施例の正面説明図である。
【図６】図５の背面説明図である。
【図７】図５のＺ−Ｚ線端面説明図である。
【図８】本発明に係る耐久性に優れた電柱用袖看板に使用される高耐食性の打ち込み型リベットが打ち込まれた状態を示す説明用断面斜視図である。
【図９】本発明に係る耐久性に優れた電柱用袖看板が電柱に固定された状態を示す正面説明図である。
【符号の説明】
１  表示板
１ａ  補強部位
１ｂ  接合部位
２  補強用外枠
２ａ  接合部位
３  連結補強用外枠
３ａ  連結手段
３ｂ  接合部位
４  高耐食性の打ち込み型リベット
Ａ  袖看板支持アーム
Ｄ  電柱
【図１】
2004271574.tif 000003
【図２】
2004271574.tif 000004
【図３】
2004271574.tif 000005
【図４】
2004271574.tif 000006
【図５】
2004271574.tif 000007
【図６】
2004271574.tif 000008
【図７】
2004271574.tif 000009
【図８】
2004271574.tif 000010
【図９】
2004271574.tif 000011